(57)【要約】【課題】ホームネットワーク基盤のデジタルフレームサービス提供方法を開示する。【解決手段】本発明のフレームサービスサーバーは、特番で接続された加入者端末の画像情報メッセージを受信し、受信した画像情報メッセージに含まれている対象者の識別情報をＲＧ識別テーブルに代入させ、ＲＧ識別テーブルから上記対象者の家庭に設置されたＲＧのＩＰを把握し、上記フレームサービスサーバーは、上記把握したＲＧのＩＰに、フレームサービス報知用に設定されたポート番号情報を含めて画像情報メッセージを伝送する。これにより、上記ＲＧは、受信した画像情報を上記デジタルフレームに伝送して表示させる。【選択図】図６
2008535308.tif 000002
【特許請求の範囲】
【請求項１】
Ａ−１）ホームネットワークに連結されたフレームサービスサーバーが、有線網または無線網を介して接続された使用者端末の要請によって、サービス対象者の移動端末機の電話番号とデジタルフレームのＩＤとをマッチングさせて加入者用識別テーブルに登録する段階；
Ａ−２）上記フレームサービスサーバーが、使用者端末から特番対象者を設定するための要請を受信すれば、上記加入者用識別テーブルに登録された他人のデジタルフレームのＩＤリストを上記使用者端末に提供した後、上記使用者端末により選択されたデジタルフレームのＩＤを特番対象者として登録する段階；
Ａ−３）上記フレームサービスサーバーが、有線網または無線網を介して特番で接続した加入者から画像情報を受信すれば、上記加入者用識別テーブルを通して特番対象者を把握した後、上記特番対象者に割り当てられたメモリー領域に上記画像情報を保存する段階；
Ａ−４）上記フレームサービスサーバーが、上記ホームネットワークに連結されたデジタルフレームから上記有線網を介して上記画像情報の伝送要請を受信すれば、上記デジタルフレームのＩＤを把握する段階；及び
Ａ−５）上記デジタルフレームのＩＤにマッチングするメモリー領域から新規保存された画像情報を探して上記デジタルフレームにダウンロードする段階；を含む、ホームネットワーク基盤のデジタルフレームサービス提供方法。
【請求項２】
上記段階Ａ−２）では、
上記特番対象者を登録する前に、上記特番対象者の移動端末機に上記使用者端末による特番対象者登録について同意を問い合わせる文字メッセージを伝送し、上記特番対象者が登録を許諾する場合に、上記特番対象者を上記加入者用識別テーブルに記録することを特徴とする、請求項１に記載のホームネットワーク基盤のデジタルフレームサービス提供方法。
【請求項３】
上記段階Ａ−１）乃至段階Ａ−３）において上記フレームサービスサーバーは、
上記使用者端末が接続すると、上記使用者端末に対する認証がホームネットワーク管理サーバーでなされるようにすることを特徴とする、請求項１又は２に記載のホームネットワーク基盤のデジタルフレームサービス提供方法。
【請求項４】
上記段階Ａ−３）では、上記メモリーに新規の画像情報を保存すると、新規保存された画像情報に合わせて新規保存フラッグを表示し、これに伴い上記段階Ａ−４）では、上記新規保存フラッグの有無によって新規保存された画像情報があるかどうかを判断することを特徴とする、請求項３に記載のホームネットワーク基盤のデジタルフレームサービス提供方法。
【請求項５】
Ｂ−１）使用者端末に保存された画像情報及びサービス対象者の識別情報を含む画像情報メッセージが、上記使用者端末から有線網または無線網を介してフレームサービスサーバーに伝送される段階；
Ｂ−２）上記フレームサービスサーバーが、上記画像情報メッセージを通して加入者認証を行う段階；
Ｂ−３）上記フレームサービスサーバーが、上記加入者認証に成功すれば、上記画像情報メッセージに含まれた上記サービス対象者の識別情報をＲＧ（Residential Gateway）識別テーブルに代入する段階；
Ｂ−４）上記フレームサービスサーバーが、上記ＲＧ識別テーブルで上記サービス対象者の識別情報にマッチングする該当ＲＧのＩＰを照会して、上記ＲＧのＩＰに、フレームサービス報知用に設定されたポート番号情報を画像情報メッセージに含めて伝送する段階；及び
Ｂ−５）上記ＲＧは、受信した画像情報に含まれた上記ポート番号を通して、ホームネットワークと連結されたデジタルフレームに上記画像情報を伝送する段階；を含み、
上記ＲＧは、ホームネットワークと外部通信網とを連結して、上記外部通信網に連結された上記フレームサービスサーバーと上記デジタルフレームとの間のデータ通信を可能にすることを特徴とする、ホームネットワーク基盤のデジタルフレームサービス提供方法。
【請求項６】
Ｃ−１）フレームサービスサーバーが、使用者端末から提供される加入者識別情報を用いて上記使用者端末の認証を処理する段階；
Ｃ−２）上記フレームサービスサーバーが、上記使用者端末の認証に成功すれば、上記使用者端末の識別情報に対応するメモリー領域に保存された画像情報の目録を上記使用者端末に提供する段階；
Ｃ−３）上記画像情報の目録から選択された少なくとも一つの画像情報と、サービス対象者の識別情報とを含む画像情報伝送要求メッセージが、上記使用者端末から上記フレームサービスサーバーに伝達される段階；
Ｃ−４）上記フレームサービスサーバーが、上記サービス対象者の識別情報をＲＦ識別テーブルに代入して、上記対象者の識別情報にマッチングする該当ＲＧ（Residential Gateway）のＩＰを把握する段階；
Ｃ−５）上記フレームサービスサーバーが、上記ＲＧのＩＰに、フレームサービス報知用に設定されたポート番号情報を画像情報メッセージに含めて伝送する段階；及び
Ｃ−６）上記ＲＧは、受信した画像情報に含まれた上記ポート番号を通して、上記デジタルフレームに上記画像情報を伝送する段階；を含み、
上記ＲＧは、ホームネットワークと外部通信網とを連結して、上記外部通信網に連結された上記フレームサービスサーバーと上記デジタルフレームとの間のデータ通信を可能にすることを特徴とする、ホームネットワーク基盤のデジタルフレームサービス提供方法。
【請求項７】
上記対象者の識別情報は移動端末機の電話番号であることを特徴とする、請求項５又は６に記載のホームネットワーク基盤のデジタルフレームサービス提供方法。
【請求項８】
上記ＲＧは、流動ＩＰが与えられる場合、新しい外部通信ＩＰが与えられると、これを上記フレームサービスサーバーに知らせて上記ＲＧ識別テーブルのＲＧのＩＰを、新しく与えられた外部通信ＩＰに更新させることを特徴とする、請求項５又は６に記載のホームネットワーク基盤のデジタルフレームサービス提供方法。
【発明の詳細な説明】
【技術分野】
【０００１】
本発明は、デジタルフレームサービスに関し、より詳しくは、デジタルカメラ、カメラ付き携帯電話またはウェブサーバーに保存されている写真、動画像、キャラクター、文字情報などのマルチメディアデータをホームネットワーク（Home Network）上に位置するデジタルフレーム装置に提供する方法及び記録媒体に関する。
【背景技術】
【０００２】
カメラで撮影した写真は、焼き付けられてアルバムや額縁に保管されるのが一般的であった。しかし、撮影した映像をデジタルデータ化して保存するデジタルカメラまたはカメラ付き携帯電話の登場により、デジタル写真は焼付けという過程を経なくてもカメラ、コンピュータ、カメラ付き携帯電話またはデジタルフレームなどを通して使用者が肉眼で確認できるようになった。デジタルフレームは、自身にメモリーを備え、メモリーに保存された写真をＬＣＤ画面を通して表示する。このようなデジタルフレームは、保存された写真を順次表示したり、コンピュータ、デジタルカメラまたはカメラ付き携帯電話に連結されてこれら装置から提供される写真を表示したりする。
【０００３】
また、通信技術の発達に伴い、使用者が何時でも何処でも通信できるようにするユビキタスが提案されており、このようなユビキタスとして、家庭で各種情報の提供を受けたり通信できるようにするホームネットワークが現実化されている。ホームネットワークは、私設ＩＰを用いて運用され、家庭での電子装置間における通信を行なうだけでなく、移動通信網またはインターネット網と連結されて外部装置との通信をも行う。
【０００４】
従って、今後ホームネットワークが一般化すれば、デジタルフレームはホームネットワークを基盤に運用されるはずであり、それに伴って、デジタルカメラまたはカメラ付き携帯電話と有・無線で連結されてリアルタイム写真伝送が可能になり、インターネットサーバーに保存されている写真情報をデジタルフレームに表示させることができると期待される。
【０００５】
現在、デジタルフレームにモデム機能をもたせてインターネットサーバーから提供される写真を受信し表示させる技術が公知となっているが、インターネットサーバーとデジタルフレームとの間の有無線通信方法が提示されておらず、特に仮想私設網で運用されるホームネットワーク基盤のデジタルフレームのためのサービス方法は提示されていない。
【発明の開示】
【発明が解決しようとする課題】
【０００６】
本発明は、使用者の要求を解決するために案出されたものであり、本発明の目的は、ホームネットワークを基盤とするデジタルフレームに、携帯電話やデジタルカメラで撮影した写真、及びコンピュータからのマルチメディアデータのうち少なくとも一つ以上を提供して表示させることにある。
【課題を解決するための手段】
【０００７】
上記目的を達成するための本発明は、Ａ−１）ホームネットワークに連結されたフレームサービスサーバーが、有線網または無線網を介して接続された使用者端末の要請によって、サービス対象者の移動端末機の電話番号とデジタルフレームのＩＤとをマッチングさせて加入者用識別テーブルに登録する段階；Ａ−２）上記フレームサービスサーバーが、使用者端末から特番対象者を設定するための要請を受信すれば、上記加入者用識別テーブルに登録された他人のデジタルフレームＩＤリストを上記使用者端末に提供した後、上記使用者端末により選択されたデジタルフレームのＩＤを特番対象者として登録する段階；Ａ−３）上記フレームサービスサーバーが、有線網または無線網を介して特番で接続した加入者から画像情報を受信すれば、上記加入者用識別テーブルを通して特番対象者を把握した後、上記特番対象者に割り当てられたメモリー領域に上記画像情報を保存する段階；Ａ−４）上記フレームサービスサーバーが、上記ホームネットワークに連結されたデジタルフレームから上記有線網を介して上記画像情報の伝送要請を受信すれば、上記デジタルフレームのＩＤを把握する段階；及びＡ−５）上記デジタルフレームのＩＤにマッチングするメモリー領域から新規保存された画像情報を探して上記デジタルフレームにダウンロードする段階；を含んで成る。
【０００８】
本発明では、加入者の各々に割り当てられ、上記画像情報が保存されるメモリーを、各加入者が会員登録時に提供したデジタルフレームのＩＤに合わせて管理する。
【０００９】
また、上記目的を達成するための他の特徴による本発明は、Ｂ−１）使用者端末に保存された画像情報及びサービス対象者の識別情報を含む画像情報メッセージが、上記使用者端末から有線網または無線網を介してフレームサービスサーバーに伝送される段階；Ｂ−２）上記フレームサービスサーバーが、上記画像情報メッセージを通して加入者認証を行う段階；Ｂ−３）上記フレームサービスサーバーが、上記加入者認証に成功すれば、上記画像情報メッセージに含まれた上記サービス対象者の識別情報をＲＧ（Residential Gateway）識別テーブルに代入する段階；Ｂ−４）上記フレームサービスサーバーが、上記ＲＧ識別テーブルで上記サービス対象者の識別情報にマッチングする該当ＲＧのＩＰを照会して、上記ＲＧのＩＰに、フレームサービス報知用に設定されたポート番号情報を画像情報メッセージに含めて伝送する段階；及びＢ−５）上記ＲＧは、受信した画像情報に含まれた上記ポート番号を通してホームネットワークと連結されたデジタルフレームに上記画像情報を伝送する段階；を含み、上記ＲＧは、ホームネットワークと外部通信網とを連結して、上記外部通信網に連結された上記フレームサービスサーバーと上記デジタルフレームとの間のデータ通信を可能にすることを特徴とする。
【００１０】
一方、上記目的を達成するためのもう一つの特徴による本発明は、Ｃ−１）フレームサービスサーバーが、使用者端末から提供される加入者識別情報を用いて上記使用者端末の認証を処理する段階；Ｃ−２）上記フレームサービスサーバーが、上記使用者端末の認証に成功すれば、上記使用者端末の識別情報に対応するメモリー領域に保存された画像情報の目録を上記使用者端末に提供する段階；Ｃ−３）上記画像情報の目録から選択された少なくとも一つの画像情報と、サービス対象者の識別情報とを含む画像情報伝送要求メッセージが、上記使用者端末から上記フレームサービスサーバーに伝達される段階；Ｃ−４）上記フレームサービスサーバーが、上記サービス対象者の識別情報をＲＦ識別テーブルに代入して、上記対象者の識別情報にマッチングする該当ＲＧ（Residential Gateway）のＩＰを把握する段階；Ｃ−５）上記フレームサービスサーバーが、上記ＲＧのＩＰに、フレームサービス報知用に設定されたポート番号情報を画像情報メッセージに含めて伝送する段階；及びＣ−６）上記ＲＧは、受信した画像情報に含まれた上記ポート番号を通して上記デジタルフレームに上記画像情報を伝送する段階；を含み、上記ＲＧは、ホームネットワークと外部通信網とを連結して、上記外部通信網に連結された上記フレームサービスサーバーと上記デジタルフレームとの間のデータ通信を可能にすることを特徴とする。
【発明の効果】
【００１１】
従って、本発明によれば、ホームネットワークを基盤とするデジタルフレームに、カメラ付き携帯電話やＰＤＡで撮影した写真をリアルタイムで提供することができ、コンピュータまたはウェブサーバーからのマルチメディアデータを表示させることができるとの効果がある。
【発明を実施するための最良の形態】
【００１２】
以下、添付図面を参照しながら本発明による望ましい実施例を説明する。
【００１３】
図１は、本発明に適用されるネットワーク環境を示すネットワーク構成図である。図１に示したように、本発明のネットワークは使用者端末１０、ホームネットワーク管理サーバー１００、フレームサービスサーバー２００、ＲＧ（Residential Gateway）３００及びデジタルフレーム４００を含む。
【００１４】
使用者端末１０は、カメラ機能を内蔵して、撮影した写真情報をデジタルデータとして保存し、移動通信網を介して無線データ通信を行う携帯電話１２またはＰＤＡ１４などの移動端末機であることが望ましい。また、使用者端末１０は、このような携帯電話１２、ＰＤＡ１４の他、デジタルカメラ１８で撮影されたデジタル情報を受けてメモリーに保存し、インターネットを介してホームネットワーク管理サーバー１００に接続されるコンピュータ１６であってもよい。
【００１５】
ホームネットワーク管理サーバー１００は、インターネットと移動通信網に連結されていて、ホームネットワーク利用に対する認証とホームネットワーク加入者のために提供されるサービス利用に対する認証を行い、会員加入機能を有し、登録された会員情報を管理する。特に、ホームネットワーク管理サーバー１００は、フレームサービスサーバー２００とコアネットワークで結ばれてフレームサービス加入者の認証を担当する。
【００１６】
フレームサービスサーバー２００は、インターネットと移動通信網に連結されていて、使用者端末１０から画像情報の提供を受けて保存し、保存された画像情報を使用者が指定したフレームサービスのデジタルフレームに提供する。フレームサービスとは、使用者端末１０から提供された画像情報（写真又は動画像等）をホームネットワークに連結された所定のデジタルフレームに提供できるようにするサービスである。フレームサービスサーバー２００は、新規加入者が登録されると、新規加入者に対して画像情報を保存するためのメモリーを割り当てる。また、フレームサービスサーバー２００は、ホームネットワークに連結されるためにインターネットを介してＲＧ３００と連結される。
【００１７】
ＲＧ３００は、外部通信ＩＰ網の終端装置であって、ホームネットワークに連結されたデジタルフレーム４００とフレームサービスサーバー２００との間のデータ通信を支援する。デジタルフレーム４００は、イメージ、動画像、音楽、テキストなどのマルチメディアデータを保存するメモリーと、画像情報を画面上に表示する表示手段とを含んで成る。上記ホームネットワークは、有／無線ＬＡＮ、有線ケーブル、近距離無線通信網、例えばジグビー（Zig Bee）、ブルートゥース等によって形成される。
【００１８】
前述のように構成されたネットワークを用いる本発明は、２通りの方法によってフレームサービスを提供する。
【００１９】
第１の方法は、ＰＵＬＬ方式であって、使用者端末により指定されたデジタルフレーム４００が、フレームサービスサーバー２００に接続して、上記使用者端末から提供された画像情報を得る方法であり、第２の方法は、ＰＵＳＨ方式であって、使用者端末からデジタルフレーム４００へ画像情報を伝送する方法である。
【００２０】
そこで、本発明は、ＰＵＬＬ方式とＰＵＳＨ方式とに分けて実施例を説明する。
【００２１】
まず、図２を参照しながら本発明によるフレームサービス加入手順を説明する。図２は、本発明によるサービス加入手順を示すフローチャートである。
【００２２】
有線網または無線網を介してホームネットワーク管理サーバー１００に接続された使用者端末１０は、ホームネットワーク管理サーバーより提供されるホームネットワークサービスの会員加入を申請する（Ｓ２１０、Ｓ２２０）。会員加入時に使用者端末１０は、個人情報、ＩＤ、パスワード及び移動端末機の電話番号をホームネットワーク管理サーバー１００へ提供する。上記移動端末機の電話番号は、移動端末機が無線網を介して上記ホームネットワーク管理サーバー１００に接続した時の使用者識別のために使われ、ＩＤとパスワードはコンピュータ１６が有線網を介して上記ホームネットワーク管理サーバー１００に接続した時の使用者識別のために使われる。
【００２３】
この時、上記ホームネットワークサービスに加入した使用者端末１０は、ホームネットワークが構築されている場合、上記ホームネットワークを具現するためのＲＧ３００のＩＰを上記ホームネットワーク管理サーバー１００に登録することによって、上記使用者識別情報に合わせて保存される。
【００２４】
しかし、ホームネットワークが構築されていても上記ホームネットワークサービスに加入しなければ、上記ＲＧ３００のＩＰを登録する過程はない。上記ホームネットワークサービスの加入者でない場合の応用として、本発明は、一般インターネット使用者をサービス対象者とすることが可能で、一般インターネット使用者はホームネットワークサービスの非加入者と同じ過程を経て登録しサービスの提供を受ける。
【００２５】
上記ホームネットワークサービスに加入した使用者端末１０は、上記ホームネットワーク管理サーバー１００から提供されるホームネットワークサービスのうちフレームサービスを申請する（Ｓ２３０）。この時、上記ホームネットワーク管理サーバー１００は、上記使用者端末１０へ加入者についての追加情報を要請することなく上記フレームサービスに上記使用者端末１０を登録する。
【００２６】
しかし、一般インターネット使用者である場合は、サービス対象者、即ち画像情報を受信するデジタルフレームのＩＤと仕様情報、上記デジタルフレームと関連した移動端末機の電話番号を上記ホームネットワーク管理サーバー１００に追加で提供しなければならない。上記フレームサービスの申請は、ホームネットワーク管理サーバー１００の加入者として登録した後でもできるが、ホームネットワーク管理サーバー１００の加入者として登録する途中に一括申請することもできる。
【００２７】
上記の過程を終えた使用者は、フレームサービスの加入者として登録されて上記ホームネットワーク管理サーバー１００により管理され、上記ホームネットワーク管理サーバー１００は上記フレームサービスに加入した加入者情報を上記フレームサービスサーバー２００に提供する（Ｓ２４０）。
【００２８】
一方、一つの応用例として、フレームサービスの申請は、フレームサービスサーバー２００でなされてもよい。この場合、フレームサービスサーバー２００は、新規会員として登録された加入者の情報をホームネットワーク管理サーバー１００に提供するようになる。
【００２９】
上記フレームサービスが申請されると、上記フレームサービスサーバー２００は加入者のための画像保存用メモリーを割り当て、一般インターネット加入者の場合は、移動端末機の電話番号とデジタルフレームのＩＤとをマッチングした加入者用識別テーブルを生成して管理するようになる。
【００３０】
以下、図３乃至図５を参照しながらＰＵＬＬ方式を使用する本発明の一実施例を説明する。
【００３１】
ＰＵＬＬ方式は、使用者端末１０からの画像情報を受信者、即ちサービス対象者のデジタルフレームに直接伝送できない場合に使われる方法である。換言すれば、フレームサービスサーバー２００でデジタルフレームを識別できなくて、デジタルフレームへの伝送経路が分からない場合に使われる。一般には、ホームネットワークサービスの加入者である場合は、デジタルフレーム４００が連結されたＲＧ３００のＩＰがサービス加入時にフレームサービスサーバー２００に登録されるが、ホームネットワークの加入者でない、ＡＤＳＬなどの一般インターネット加入者である場合は、ＲＧのＩＰが登録されないかＲＧが存在しない。ＰＵＬＬ方式は、このような一般インターネット加入者のためのフレームサービス方法である。
【００３２】
図３は、本発明による、加入者要求に応じて他人のデジタルフレームを登録する過程を示すフローチャートである。
【００３３】
使用者がフレームサービスに加入すると、フレームサービスサーバー２００に加入者用識別テーブルが生成されて、上記加入者用識別テーブルには加入者自身のデジタルフレームのＩＤだけが登録されている。
【００３４】
このような状態で、使用者端末１０がフレームサービスサーバー２００に接続すると、フレームサービスサーバー２００はホームネットワーク管理サーバー１００に上記使用者端末１０に対する認証を要請する（Ｓ３００）。
【００３５】
上記使用者端末１０に対する認証が完了した後に、上記使用者端末１０が上記フレームサービスサーバー２００へデジタルフレームの登録を要請すると、上記フレームサービスサーバー２００は新規登録するデジタルフレームのＩＤ及び移動端末機の電話番号を上記使用者端末１０へ要求する（Ｓ３１０、Ｓ３２０）。
【００３６】
フレームサービスサーバー２００は、上記移動端末機の電話番号を受信して、それが上記加入者用識別テーブルに登録された電話番号（例えば、友人や親戚などの電話番号）でない場合は、ホームネットワーク管理サーバー１００に上記移動端末機の使用者がホームネットワークサービスの加入者なのかを問い合わせして、その結果を得る（Ｓ３３０）。上記移動端末機の使用者がホームネットワークサービスの加入者でなければ、フレームサービスサーバー２００は上記移動端末機に対するデジタルフレームの登録を取消す。しかし、上記移動端末機の使用者がホームネットワークサービスの加入者ならば、上記移動端末機の使用者が登録したデジタルフレームがフレームサービスの対象者として設定されたことが確認できるように、上記移動端末機へ登録許可を問い合わせる文字メッセージを伝送する（Ｓ３４０）。
【００３７】
上記移動端末機から登録許可の文字メッセージがフレームサービスサーバー２００に受信されれば、上記移動端末機の電話番号とデジタルフレームのＩＤとをマッチングさせて上記加入者用識別テーブルに記録する（Ｓ３５０）。しかし、上記移動端末機から登録不許可の応答メッセージが受信されれば、フレームサービスサーバー２００は上記移動端末機のデジタルフレーム登録を取消す。
【００３８】
以上の方法により、使用者は他人の保有するデジタルフレームをサービス対象者として登録できるようになる。
【００３９】
また、本発明のフレームサービスは、移動端末機で撮影された画像情報をリアルタイムでフレームサービスサーバー２００に登録させることができるという特徴をもつ。このような特徴が具現されるためには、フレームサービスサーバー２００に直接接続できる特番が設けられるべきであり、加入者はリアルタイムで画像情報の提供を受ける特番対象者（即ち、デジタルフレーム）を予め決定するべきである。上記特番対象者は、加入者用識別テーブルに記録されたデジタルフレームである。
【００４０】
従って、フレームサービスサーバー２００は、加入者が特番対象者の選択を要求すると、加入者用識別テーブルを読み込んで加入者用識別テーブルに登録されたデジタルフレームＩＤリストを加入者に提供し、加入者がデジタルフレームＩＤリストから一つ以上のデジタルフレームを選択すると、それを特番対象者として登録して管理する。
【００４１】
図４は、本発明の実施例による、特番を通して提供された画像情報を特番対象者のメモリーに保存する過程を説明するためのフローチャートである。
【００４２】
使用者端末１０が特番を用いてフレームサービスサーバー２００に接続すると、フレームサービスサーバー２００はホームネットワーク管理サーバー１００に使用者端末１０の電話番号、又はＩＰ及びパスワードを提供して使用者端末１０に対する認証を要請する（Ｓ４００）。
【００４３】
上記使用者端末１０に対する認証が完了した後に、フレームサービスサーバー２００は上記電話番号、又はＩＰ及びパスワードによって加入者を識別し、上記加入者の加入者用識別テーブルを読み込む。その次に、フレームサービスサーバー２００は上記加入者用識別テーブルで加入者によって設定された特番対象者に該当するデジタルフレームのＩＤを照会する（Ｓ４１０）。
【００４４】
フレームサービスサーバー２００は、特番対象者であるデジタルフレームのＩＤを把握したら、把握したデジタルフレームのＩＤで管理される画像保存用メモリーそれぞれに使用者端末１０から伝送された画像情報を保存する（Ｓ４２０）。この時、フレームサービスサーバー２００は、画像情報が提供されるデジタルフレームの仕様情報を確認し、保存すべき画像情報をデジタルフレームの仕様に合うように変換させて保存することが望ましい。
【００４５】
フレームサービスサーバー２００は、新規の画像情報を各画像保存用メモリーに保存する時、上記新規の画像情報に合わせて新規保存フラッグを表示する（Ｓ４３０）。上記新規保存フラッグは、上記フレームサービスサーバー２００から該当デジタルフレーム４００へ上記新規の画像情報が伝送されると、削除されるか、又はその形態が修正される（Ｓ４４０、Ｓ４５０）。
【００４６】
このように新規保存フラッグを表示することによって、フレームサービスサーバー２００は該当デジタルフレームに提供されていない画像情報がどんなものなのかを加入者が容易に認識できるようにする。
【００４７】
また、本発明の使用者端末１０は、特番を用いずに使用者端末が内部的に提供するサービスメニュー項目を通してフレームサービスサーバー２００に接続した後、フレームサービスサーバー２００から提供される識別テーブルに登録されたデジタルフレームのＩＤの目録のうち所望のデジタルフレームを選択することによって、選択したデジタルフレームのＩＤで管理される画像保存用メモリーに画像情報を保存できるようになる。
【００４８】
また、本発明のフレームサービスでは、コンピュータに保存された画像情報をフレームサービスサーバー２００に保存させることができる。ところが、コンピュータを用いてフレームサービスサーバー２００に特定データを保存させる技術は既に公知となっているため、これ以上説明しない。
【００４９】
以下、図５を参照しながらＰＵＬＬ方式によってフレームサービスサーバーに登録された画像情報がデジタルフレームに提供される過程を説明する。
【００５０】
デジタルフレーム４００は、設定された周期ごとに駆動し、ＲＧ３００またはＡＤＳＬを介してフレームサービスサーバー２００に接続する（Ｓ５００）。この時、デジタルフレーム４００は、デジタルフレームのＩＤが含まれた画像情報要求メッセージをフレームサービスサーバー２００に伝送する（Ｓ５１０）。
【００５１】
フレームサービスサーバー２００は、デジタルフレーム４００から受信された画像情報要求メッセージよりデジタルフレームのＩＤを把握し、デジタルフレームのＩＤで管理される画像保存用メモリーに新規保存フラッグが存在するか否かを把握する（Ｓ５２０）。
【００５２】
フレームサービスサーバー２００は、新規保存フラッグが存在すれば、新規保存フラッグが表示された画像情報を新規保存された画像情報と判断し、この画像情報をＲＧ３００またはＡＤＳＬを介してデジタルフレーム４００にダウンロードさせる（Ｓ５３０）。
【００５３】
デジタルフレーム４００は、フレームサービスサーバー２００から画像情報を受信すると、これを自身のメモリーに保存し、表示手段によって画像情報を画面上に表示して加入者がこれを確認できるようにする（Ｓ５４０）。
【００５４】
以下、図６は本発明の実施例による、ＰＵＳＨ方式を用いたホームネットワーク基盤のデジタルフレームサービス提供方法を説明するためのフローチャートである。
【００５５】
ＰＵＳＨ方式による本発明の実施例を説明するに先立って、フレームサービスサーバー２００とデジタルフレーム４００との間の通信を簡略に説明する。
【００５６】
本発明のＰＵＳＨ方式を用いて画像情報をデジタルフレーム４００に伝送するために、デジタルフレームに対する識別者として、デジタルフレームの所有者または家族（以下'対象者'という）が保有した移動端末機の電話番号を用いる。
【００５７】
そして、デジタルフレーム４００はホームネットワークという私設網に構築されているので、使用者端末１０またはフレームサービスサーバー２００は、デジタルフレーム４００に直接には接続出来ず、デジタルフレームが連結されたＲＧ３００を介したデータ伝送が可能である。従って、フレームサービスサーバー２００には、デジタルフレーム４００を識別できる対象者保有の移動端末機の電話番号と対象者の家庭に設けられたＲＧ３００のＩＰ情報とがマッチングされてＲＧ識別テーブルで管理される。この時、ＲＧ３００のＩＰ情報は、ＲＧ３００が設けられた対象者の移動端末機の電話番号のうちの少なくともひとつにマッチングされて管理される。このために、フレームサービスの加入者は、加入する時に自身の家庭に設置されたＲＧのＩＰ及び自身の移動端末機の電話番号を提供する。
【００５８】
ＲＧ３００のＩＰが流動的である場合、ＲＧ３００は、フレームサービスサーバー２００にＩＰが最初に登録された後にＩＳＰによってＩＰが変更されると、変更されたＩＰをフレームサービスサーバー２００に知らせて、登録されたＩＰを新しいＩＰに変更させる動作を行う。
【００５９】
ＲＧ３００からデジタルフレーム４００へ画像情報を伝送させるために、ＲＧ３００とデジタルフレーム４００は特定のポート番号を用いるソケット通信を行う。上記特定のポート番号は、フレームサービス用と規約されたものであり、フレームサービスサーバー２００でも上記特定のポート番号が判別できるようにする。
【００６０】
このような状態における本発明のＰＵＳＨ方法は次の通りである。
【００６１】
使用者端末１０から画像情報を特定のデジタルフレーム４００に伝送するために、デジタルフレーム識別用の移動端末機の電話番号、及び特番を入力してフレームサービスサーバー２００に対しフレームサービスを要求する（Ｓ６０１）。
【００６２】
よって、使用者端末１０がフレームサービスサーバー２００に接続すると、フレームサービスサーバー２００は特番によって受信した画像情報メッセージから発信側である上記使用者端末１０の電話番号を抽出し、ホームネットワーク管理サーバー１００に伝送して認証を要請する（Ｓ６０３）。この時、フレームサービスサーバー２００は、発信者だけでなく、上記対象者の電話番号を用いた対象者の認証をも上記ホームネットワーク管理サーバー１００に要請できる。
【００６３】
発信者又は／及び対象者に対する加入者認証が成功すると、フレームサービスサーバー２００は受信した画像情報メッセージから対象者の電話番号を抽出し、これをデジタルフレーム４００の識別者と判断する。そして、フレームサービスサーバー２００はＲＧ識別テーブルに上記対象者の電話番号を代入して、上記電話番号とマッチングするＲＧ３００のＩＰを確認する（Ｓ６０５）。
フレームサービスサーバー２００は、上記ＲＧ３００へ画像情報メッセージを伝送するが、この時フレームサービス用の画像情報であることを知らせるために、フレームサービスであることを知らせる上記特定のポート番号を共に含めて伝送する（Ｓ６０７）。
【００６４】
ＲＧ３００は、画像情報メッセージを受信すると、画像情報メッセージに含まれた特定のポート番号を把握し、上記特定のポート番号によってフレームサービスであると判断して、デジタルフレーム４００へ受信した画像情報を提供する（Ｓ６０９、Ｓ６１１、Ｓ６１３）。
【００６５】
すると、デジタルフレーム４００は、受信した画像情報を保存し、画面上に表示する（Ｓ６１５）。
【００６６】
一方、本発明のＰＵＳＨ方法では、図５を参照して説明した通り、特番対象者選択機能を利用できる。即ち、使用者端末１０が特番で画像情報を提供すると、フレームサービスサーバー２００は、使用者の選択によって登録された特番対象者のＲＧのＩＰを把握し、各ＲＧを介して該当デジタルフレームへ画像情報が提供されるようにすることができる。
【００６７】
以下、図７を参照しながらＰＵＳＨ方式を用いる本発明の他の実施例を説明する。図７は、本発明の他の実施例による、ＰＵＳＨ方式を用いたホームネットワーク基盤のデジタルフレームサービス提供方法を示すデータ流れ図であって、フレームサービスサーバー２００に保存された画像情報を特定のデジタルフレームに提供する場合を示すものである。
【００６８】
前述の通り、本発明の使用者端末１０は、撮影した画像情報をリアルタイムでデジタルフレーム４００に伝送でき、直接またはコンピュータ１６のような周辺装置を用いてフレームサービスサーバー２００に保存させることもできる。
【００６９】
このような状態で、フレームサービスサーバー２００に保存された画像情報のうち特定の画像情報をデジタルフレーム４００に伝送するために、使用者端末１０は有線網または無線網を介してフレームサービスサーバー２００に接続する（Ｓ７０１）。フレームサービスサーバー２００は、使用者端末１０が接続すると、使用者に対する認証をホームネットワーク管理サーバー１００を通して行い（Ｓ７０３）、加入者であれば加入者の画像保存用メモリーに保存されている画像情報の目録を使用者端末１０に提供する（Ｓ７０５）。
【００７０】
使用者端末１０は、受信した画像情報の目録から一つ以上の画像情報を選択し、画像情報を受信するデジタルフレームを識別できるようにするために受信者、即ち対象者の移動端末機の電話番号（以下'対象者の電話番号'という）を上記フレームサービスサーバー２００に伝送する（Ｓ７０７、Ｓ７０９）。即ち、使用者端末１０は、画像情報と対象者の電話番号とを含む画像情報伝送要求メッセージをフレームサービスサーバー２００に伝送する（Ｓ７１１）。
【００７１】
フレームサービスサーバー２００は、使用者端末１０から画像情報伝送要求メッセージを受信すると、画像情報伝送要求メッセージから対象者の電話番号を抽出して、これをデジタルフレーム４００の識別者と判断する。そして、フレームサービスサーバー２００は、上記対象者の電話番号とマッチングするＲＧ３００を識別するために、ＲＧ識別テーブルに上記対象者の電話番号を代入して、上記対象者の電話番号にマッチングするＲＧ３００のＩＰを確認する（Ｓ７１３）。フレームサービスサーバー２００は、確認したＩＰに該当するＲＧ３００へ画像情報メッセージを伝送するが、この時フレームサービス用の画像情報であることを知らせるために、フレームサービスであることを知らせる上記特定のポート番号を共に含めて伝送する（Ｓ７１５）。
【００７２】
ＲＧ３００は、画像情報メッセージを受信すると、画像情報メッセージに含まれた特定のポート番号を把握し、上記特定のポート番号によってフレームサービスであることを判断して、デジタルフレーム４００へ受信した画像情報を提供する（Ｓ７１７、Ｓ７１９、Ｓ７２１）。
【００７３】
すると、デジタルフレーム４００は、受信した画像情報を保存し、画面上に表示する（Ｓ７２３）。
【００７４】
以下、図８を参照しながらＰＵＳＨ方式を用いる本発明のまた他の一実施例を説明する。図８は、本発明のもう一つの実施例による、ＰＵＳＨ方式を用いたホームネットワーク基盤のデジタルフレームサービス提供方法を示すデータ流れ図であって、フレームサービスサーバーと連動する、人脈基盤のコミュニティーサービスなどの特定サービスのためのウェブサーバー（以下、'サービス連動ウェブサーバー'という）に保存された画像情報（写真、動画像など）をデジタルフレームへ伝送する場合を示すものである。
【００７５】
使用者端末１０が有線網または無線網を介してサービス連動ウェブサーバー１５０に接続してフレームサービスを要求すると、サービス連動ウェブサーバー１５０は保存された画像情報の目録を使用者端末１０へ提供する（Ｓ８０１、Ｓ８０３）。
【００７６】
使用者端末１０は、受信した画像情報の目録から一つ以上の画像情報を選択し、画像情報を受信するデジタルフレームを識別できるようにするために、受信者の移動端末機の電話番号（以下"対象者の電話番号"という）を入力する（Ｓ８０５、Ｓ８０７）。即ち、使用者端末１０は、画像情報と対象者の電話番号とを含む画像情報伝送要求メッセージをサービス連動ウェブサーバー１５０に伝送する（Ｓ８０９）。
【００７７】
サービス連動ウェブサーバー１５０は、画像情報伝送要求メッセージを受信すると、フレームサービス実行モードに切り換わって、上記画像情報伝送要求メッセージをフレームサービスサーバー２００へ伝達する（Ｓ８１１）。
【００７８】
すると、フレームサービスサーバー２００は、上記画像情報伝送要求メッセージから使用者端末１０及び対象者の電話番号を抽出し、ホームネットワーク管理サーバー１００に伝送して加入者認証を要求する（Ｓ８１３）。
【００７９】
使用者端末１０及び対象者に対する認証に成功すると、フレームサービスサーバー２００は、対象者の電話番号をデジタルフレーム４００の識別者と判断した後、上記対象者の電話番号とマッチングするＲＧ３００を識別するために、ＲＧ識別テーブルに上記対象者の電話番号を代入して上記対象者の電話番号にマッチングするＲＧ３００のＩＰを確認する（Ｓ８１５）。
【００８０】
次に、フレームサービスサーバー２００は、確認したＩＰに該当するＲＧ３００へ画像情報メッセージを伝送するが、この時フレームサービス用の画像情報であることを知らせるために、フレームサービスであることを知らせる上記特定のポート番号を共に含めて伝送する（Ｓ８１７）。
【００８１】
ＲＧ３００は、画像情報メッセージを受信すると、画像情報メッセージに含まれた特定のポート番号を把握し、上記特定のポート番号によってフレームサービスであると判断して、デジタルフレーム４００へ受信した画像情報を提供する（Ｓ８１９）。
すると、デジタルフレーム４００は、受信した画像情報を保存し、画面上に表示する（Ｓ８２１）。
【図面の簡単な説明】
【００８２】
【図１】本発明に適用されるネットワーク環境を示すネットワーク構成図である。
【図２】本発明によるサービス加入手順を示すフローチャートである。
【図３】本発明による、加入者要求に応じて他人のデジタルフレームを登録する過程を示すフローチャートである。
【図４】本発明の実施例による、特番を通して提供された加入者の画像情報を特番対象者のメモリー領域に保存させる過程を示すフローチャートである。
【図５】本発明の実施例による、フレームサービスサーバーに登録された画像情報がデジタルフレームに提供される過程を示すデータ流れ図である。
【図６】本発明の実施例による、ＰＵＳＨ方式を用いたホームネットワーク基盤のデジタルフレームサービス提供方法を示すデータ流れ図である。
【図７】本発明の他の実施例による、ＰＵＳＨ方式を用いたホームネットワーク基盤のデジタルフレームサービス提供方法を示すデータ流れ図である。
【図８】本発明のもう一つの実施例による、ＰＵＳＨ方式を用いたホームネットワーク基盤のデジタルフレームサービス提供方法を示すデータ流れ図である。
【図１】
2008535308.tif 000003
【図２】
2008535308.tif 000004
2008535308.tif 000005
【図３】
2008535308.tif 000006
【図４】
2008535308.tif 000007
【図５】
2008535308.tif 000008
【図６】
2008535308.tif 000009
【図７】
2008535308.tif 000010
【図８】
2008535308.tif 000011
【国際調査報告】
2008535308.tif 000012
2008535308.tif 000013